(57)【特許請求の範囲】
【請求項１】
折り目により上下に折り曲げ可能な表示板と、前記表示板を裏側より支持して前記表示板を起立させる支持部材とを備える折り畳み式ディスプレイスタンドにおいて、
前記支持部材は、
前記折り目を挟んで上側の表示板に固定された折り畳み可能な上方部材と、
前記折り目を挟んで下側の表示板に固定され、前記表示板の展開時に前記上方部材の底面を支持する支持面が上面に設けられた折り畳み可能な下方部材と、
前記表示板の展開時に前記上方部材の底面が前記下方部材の支持面に支持された状態に前記上方部材と下方部材とを固定する固定部材を備えることを特徴とする、折り畳み式ディスプレイスタンド。
【請求項２】
上記上方部材及び下方部材のうちの少なくとも一方が箱形状であることを特徴とする、請求項１に記載の折り畳み式ディスプレイスタンド。
【請求項３】
前記下方部材の支持面は、前記折り目よりも下方位置に設けられていることを特徴とする、請求項２に記載の折り畳み式ディスプレイスタンド。
【請求項４】
前記固定部材は、前記上方部材に設けられている挿入片と、前記下方部材に設けられ前記挿入片を挿入可能なスリットにより構成されていることを特徴とする、請求項１から３のいずれか１つに記載の折り畳み式ディスプレイスタンド。
【請求項５】
前記下方部材は、断面略矩形の箱形状で構成されると共に、さらに折り畳み式ディスプレイスタンドの載置面に載置され前記表示板を起立させる脚部を備え、
前記脚部は、前記下方部材の前記表示板に固定される固定面と対向する背面よりも前記表示板の表面から離れる方向に突出していることを特徴とする、請求項１から４のいずれか１つに記載の折り畳み式ディスプレイスタンド。
【請求項６】
前記脚部は、前記下方部材の前記固定面と交差する両側面を延長して構成された板状部材であることを特徴とする、請求項５に記載の折り畳み式ディスプレイスタンド。
【請求項７】
前記上方部材及び下方部材は、それぞれ、前記表示板に固定される固定面と交差する両側面を前記表示板の表面に沿うような方向に折り曲げることにより折り畳み可能に構成されていることを特徴とする、請求項１から６のいずれか１つに記載の折り畳み式ディスプレイスタンド。
【請求項８】
前記上方部材及び下方部材は、前記表示板を起立状態で支持するとき、それぞれ前記表示板に固定される固定面と対向する背面が折り畳み式ディスプレイスタンドの載置面に対して鉛直方向に延びるように構成されていることを特徴とする、請求項１から７のいずれか１つに記載の折り畳み式ディスプレイスタンド。
【請求項９】
請求項８に記載の折り畳み式ディスプレイスタンドを２つ備え、
少なくとも一方の折り畳み式ディスプレイスタンドの前記上方部材又は下方部材の前記背面に連結部材を備え、当該連結部材により、それぞれの折り畳み式ディスプレイスタンドの前記背面同士を接触させて連結したことを特徴とする、折り畳み式ディスプレイスタンド。
【発明の詳細な説明】
【技術分野】
【０００１】
本発明は、通常ＰＯＰと呼ばれ、広告や宣伝に使用されるイメージキャラクターなどの表示がされた折り曲げ可能な表示板と、表示板を自立可能に支持する支持部材とが一体化した折り畳み式ディスプレイスタンドに関する。
【背景技術】
【０００２】
従来、店頭に展示して広告や宣伝に使用される、例えばイメージキャラクターの等身大の表示板を備えた折り畳み式ディスプレイスタンドが知られている。
【０００３】
この折り畳み式ディスプレイスタンドでは、表示板を起立させた状態とするために、表示板の裏面に支持部材を取り付けることが必要となる。支持部材としては、古くは、略三角形の板で構成された木製の板などが用いられていたが、搬送や組立、廃棄などの観点から折り畳み可能な紙製の支持部材が用いられるようになっている。
【０００４】
また、上記折り畳み式ディスプレイスタンドは、近年大型化しており、表示板が折り目により２つ以上に折り曲げられたものが用いられていることが多い。そして、使用時には表示板の折部を展開し、広げた状態を維持するために表示板を展開した状態に固定する部材が使用されている。この部材としては、表示板を傾斜状態で起立させるための支持部材が共用されていることが多い。
【０００５】
このような折り畳み式ディスプレイスタンドとしては、例えば、特許文献１（特開２００１−２９０４２４号公報）や特許文献２（特開２００４−２２６８７６号公報）などに開示された装置がある。
【０００６】
まず、図１７〜図１９を参照しつつ、特許文献１に開示されている従来例１の折り畳み式ディスプレイスタンドについて説明する。図１７は、従来例１の折り畳み式ディスプレイスタンドを斜め前方から見た斜視図である。図１８は、当該装置における支持部材の展開図であり、図１９は、その支持部材を表示板に取り付ける様子を示す斜視図である。図２０は、当該装置を箱体に梱包した状態を示す斜視図である。
【０００７】
従来例１の折り畳み式ディスプレイスタンドにおいて、支持部材１１０は、略台形の１枚の厚紙で構成されている。支持部材１１０は、表示板１２０の裏面に固定される固定面１１１に対して両側部１１２，１１２を縦折り目線１１３，１１３に沿って鉛直方向に折り曲げて立ち上げ、当該立ち上げた両側部１１２，１１２を脚として表示板１２０を支持する。表示板１２０は、上側横折り目線１２１と下側横折り目線１２２の２つの折部で折り畳み可能に構成されている。支持部材１１０は、表示板１２０を展開した状態で支持できるように、固定面１１１の縦方向の長さが表示板１２０の底辺から上側横折り目線１２１までの長さよりも長く構成されている。支持部材１１０は、固定面１１１の縦方向の中央部を表示板１２０の中央部１２３に貼着されると共に、表示板１２０の上部に設けられた繋止部１２４のスリット１２４ａ，１２４ａにその上部が差し込まれることで、表示板１２０に固定される。
【０００８】
また、支持部材１１０は、両側板１１２，１１２に設けられたスリット１１２ａ，１１２ａに固定板１１６が差し込まれると共に、両側部１１２，１１２の上部１１２ｂ，１１２ｂをさらに斜め折り目線１１４，１１４に沿って折り曲げてそれらを互いに係合させることで、両側部１１２，１１２が展開しないように構成されている。一方、支持部材１１０は、表示板１２０の中央部１２３との固定以外は接着材を使用しないので、非使用時には展開して小さく折り畳むことができる。これにより、図２０に示すように箱体１３０に梱包することができる。
【０００９】
次に、図２１〜図２３を参照しつつ、特許文献２に開示されている従来例２の折り畳み式ディスプレイスタンドについて説明する。図２１は、従来例２の折り畳み式ディスプレイスタンドを斜め前方から見た斜視図であり、図２２は、当該装置を斜め後方から見た斜視図である。図２３は、当該装置における支持部材を表示板に取り付ける様子を示す斜視図である。
【００１０】
従来例２の折り畳み式ディスプレイスタンドにおいて、支持部材２１０は、一枚の厚紙を複数回折り曲げ、その一方の側端部に設けられた差し込み片を他方の側端部に設けられた差し込み孔に差し込むことにより断面矩形の筒形状に構成されている。表示板２２０は、上側横折り目線２２１と下側横折り目線２２２の２つの折部で折り畳み可能に構成されている。支持部材２１０は、表示板２２０を展開した状態で支持できるように、表示板２２０の裏面に固定される固定面２１１の縦方向の長さが表示板２２０の底辺から上側横折り目線２２１までの長さよりも長く構成されている。支持部材２１０は、固定面２１１の縦方向の中央部を表示板２２０の中央部２２３に貼着されると共に、固定面２１１の上部及び下部に設けられた複数のスリット２１１ａに、当該それぞれのスリット２２１ａに対応するよう表示板２２０に設けられた複数の係止翼２２４が差し込まれることで、表示板２２０に固定される。支持部材２１０は、上記支持部材１１０と同様に、表示板２２０の中央部２２３との固定以外は接着材を使用しないので、非使用時には展開して小さく折り畳むことができ、箱体に梱包することができる。
【００１１】
【特許文献１】特開２００１−２９０４２４号公報
【特許文献２】特開２００４−２２６８７６号公報
【発明の開示】
【発明が解決しようとする課題】
【００１２】
しかしながら、前記従来例１及び２のような構成の折り畳み式ディスプレイスタンドにおいては、傾斜状態で起立する表示板の重みによって支持部材には、表示板が倒れる方向にモーメント力（回転力）がかかる。特に風などの外力が表示板の前方から表示板に加わった場合には、前記したように表示板が大型化しているため、そのモーメント力は非常に大きなものとなる。このため、支持部材には、表示板をしっかり固定するために当該モーメント力に耐え得る強度が求められる。
【００１３】
前記従来例１の折り畳み式ディスプレイスタンドでは、コンパクトな折り畳みを可能とするために、支持部材１１０が１枚の厚紙で構成され、当該厚紙の両側部１１２，１１２を折り曲げることによって表示板１２０を支持するように構成されている。このため、両側部１１２，１１２が、前記モーメント力に耐えきれず、折れ曲がったり撓んだりする可能性が高い。
【００１４】
また、前記従来例２の折り畳み式ディスプレイスタンドでは、支持部材２１０が筒形状に構成されているため、前記従来例１の折り畳み式ディスプレイスタンドと比べて、前記モーメント力による折れ曲がりや撓みの可能性を低くすることができる。しかしながら、表示板２１０を展開した状態で固定するために、支持部材２１０は、折部（上側横折り目線２２１及び下側横折り目線２２２）を交差する方向にまたいで取り付ける必要があるため、長尺な部材である必要がある。このため、支持部材２１０は、前記折部で折り畳んだ状態の表示板２２０から大きくはみ出す。したがって、当該長尺な支持部材２１０を折り畳んで箱体に梱包するには、前記はみ出した部分をさらに内側に折り曲げる必要がある。この折り曲げは、前記モーメント力に対する強度を確保する観点からは無用であるばかりか、逆に、脆弱部分となって前記強度を低下させる要因となる。
【００１５】
したがって、本発明の目的は、上記問題を解決することにあって、非使用時にはコンパクトに折り畳むことができると共に、使用時には表示板をよりしっかりと固定することができる折り畳み式ディスプレイスタンドを提供することにある。
【課題を解決するための手段】
【００１６】
上記目的を達成するために、本発明は以下のように構成する。
本発明の第１態様によれば、折り目により上下に折り曲げ可能な表示板と、前記表示板を裏側より支持して前記表示板を起立させる支持部材とを備える折り畳み式ディスプレイスタンドにおいて、
前記支持部材は、
前記折り目を挟んで上側の表示板に固定された折り畳み可能な上方部材と、
前記折り目を挟んで下側の表示板に固定され、前記表示板の展開時に前記上方部材の底面を支持する支持面が上面に設けられた折り畳み可能な下方部材と、
前記表示板の展開時に前記上方部材の底面が前記下方部材の支持面に支持された状態に前記上方部材と下方部材とを固定する固定部材を備えることを特徴とする、折り畳み式ディスプレイスタンドを提供する。
【００１７】
本発明の第２態様によれば、上記上方部材及び下方部材のうちの少なくとも一方が箱形状であることを特徴とする、第１態様に記載の折り畳み式ディスプレイスタンドを提供する。
【００１８】
本発明の第３態様によれば、前記下方部材の支持面は、前記折り目よりも下方位置に設けられていることを特徴とする、第１又は２態様に記載の折り畳み式ディスプレイスタンドを提供する。
【００１９】
本発明の第４態様によれば、前記固定部材は、前記上方部材に設けられている挿入片と、前記下方部材に設けられ前記挿入片を挿入可能なスリットにより構成されていることを特徴とする、第１から３のいずれか１つの態様に記載の折り畳み式ディスプレイスタンドを提供する。
【００２０】
本発明の第５態様によれば、前記下方部材は、断面略矩形の箱形状で構成されると共に、さらに折り畳み式ディスプレイスタンドの載置面に載置され前記表示板を起立させる脚部を備え、
前記脚部は、前記下方部材の前記表示板に固定される固定面と対向する背面よりも前記表示板の表面から離れる方向に突出していることを特徴とする、第１から４のいずれか１つの態様に記載の折り畳み式ディスプレイスタンドを提供する。
【００２１】
本発明の第６態様によれば、前記脚部は、前記下方部材の前記固定面と交差する両側面を延長して構成された板状部材であることを特徴とする、第５態様に記載の折り畳み式ディスプレイスタンドを提供する。
【００２２】
本発明の第７態様によれば、前記上方部材及び下方部材は、それぞれ、前記表示板に固定される固定面と交差する両側面を前記表示板の表面に沿うような方向に折り曲げることにより折り畳み可能に構成されていることを特徴とする、第１から６のいずれか１つの態様に記載の折り畳み式ディスプレイスタンドを提供する。
【００２３】
本発明の第８態様によれば、前記上方部材及び下方部材は、前記表示板を起立状態で支持するとき、それぞれ前記表示板に固定される固定面と対向する背面が折り畳み式ディスプレイスタンドの載置面に対して鉛直方向に延びるように構成されていることを特徴とする、第１から７のいずれか１つの態様に記載の折り畳み式ディスプレイスタンドを提供する。
【００２４】
本発明の第９態様によれば、第８態様に記載の折り畳み式ディスプレイスタンドを２つ備え、
少なくとも一方の折り畳み式ディスプレイスタンドの前記上方部材又は下方部材の前記背面に連結部材を備え、当該連結部材により、それぞれの折り畳み式ディスプレイスタンドの前記背面同士を接触させて連結したことを特徴とする、折り畳み式ディスプレイスタンドを提供する。
【発明の効果】
【００２５】
本発明にかかる折り畳み式ディスプレイスタンドによれば、表示板を起立させる支持部材を、前記表示板の前記折り目を挟んで上側の表示板に固定した上方部材と、下側の表示板に固定した下方部材と、両者を固定する固定部材とで構成している。これにより、従来例１，２の支持部材よりも、上方部材及び下方部材のそれぞれの長さが短くなり、前記モーメント力による折れ曲がりや撓みの可能性を低くすることができる。よって、従来例１，２よりも表示板をしっかり固定することができる。
【００２６】
また、上方部材及び下方部材は、それぞれ従来例１，２の支持部材よりもサイズを小さくすることができ、且つそれぞれ別々に折り畳み可能に構成されているので、非使用時にはコンパクトに折り畳むことができる。
【発明を実施するための最良の形態】
【００２７】
本発明の記述を続ける前に、添付図面において同じ部品については同じ参照符号を付している。
以下、本発明の最良の実施の形態について、図面を参照しながら説明する。
【００２８】
《第１実施形態》
図１〜図１０を用いて、本発明の第１実施形態にかかる折り畳み式ディスプレイスタンドの構成について説明する。図１は、本発明の第１実施形態にかかる折り畳み式ディスプレイスタンドを斜め後方から見た斜視図である。図２は、当該装置が折り畳まれた状態を後方から見た平面図であり、図３は、当該装置が折り畳まれた状態を前方から見た平面図である。図４〜図１０は、それぞれ、本発明の第１実施形態にかかる折り畳み式ディスプレイスタンドを組み立てる様子を示す斜視図である。
【００２９】
図１において、本第１実施形態にかかる折り畳み式ディスプレイスタンドＡ１は、折り目１ａにより上下に折り曲げ可能な表示板１と、表示板１を裏側より支持して表示板１を傾斜状態で起立させる支持部材２とを備えている。
【００３０】
表示板１は、折り目１ａに沿って前方（支持部材２が固定されていない側）に折り曲げることにより、図３に示すように折り畳み可能に構成されている。表示板１の表面（支持部材２が固定されていない面）には、広告や宣伝に使用されるイメージキャラクターなどの表示がされている。
【００３１】
支持部材２は、折り目１ａを挟んで上側の表示板１Ａに固定された上方部材１０と、折り目１ａを挟んで下側の表示板１Ｂに固定された下方部材２０と、上方部材１０と下方部材２０とを固定する固定部材３とを備えている。
【００３２】
上方部材１０は、図１，図３，図７，及び図８に示すように、折り畳み可能な断面矩形の概ね箱形状の部材であり、厚紙で構成されている。上方部材１０は、上側の表示板１Ａのほぼ中央部に固定（例えば貼着）される固定面１１と、固定面１１から交差方向（例えば直交方向）に立ち上がる両側面１２，１２、上面１３、及び底面１４と、固定板１１と対向する背面１５とを備えている。固定面１１と両側面１２，１２とは、組立状態における上面１３からさらに上方に突き出すように構成されている。また、上面１３と底面１４とは、背面１５を上下方向に延長した部分で構成されている。
【００３３】
固定面１１と両側面１２，１２と背面１５とは、互いに分離しないように継ぎ目を予め強固に固定されるか、或いは継ぎ目がないように構成されている。両側面１２，１２には、上側の表示板１Ａの表面に沿うような方向にそれぞれ折り目１２ａ，１２ａが設けられている。当該折り目１２ａ，１２ａで折り曲げる（谷折り又は山折りする）ことにより、図３に示すように、固定面１１と背面１５とが近づく（接触する）ように折り畳むことができる。
【００３４】
上面１３には、背面１５との境界と対向する辺部分に突出爪１３ａが設けられている。上面１３は、図７に示すように固定面１１に向けて折り曲げられ、突出爪１３ａを固定面１１に設けられたスリット１１ａに差し込まれることで組み立てられる。突出爪１３ａには指入れ用切欠き１３ｂが設けられており、当該指入れ用切欠き１３ｂに指を差し込んで上面１３を背面１５側に持ち上げることにより、スリット１１ａと突出爪１３ａとの係合を外すことができる。
【００３５】
底面１４は、図７及び図８に示すように、背面１５との境界と対向する辺部分を折り目１４ａに沿って折り曲げた状態で、固定面１１に向けて折り曲げられることで組み立てられる。組立後において、底面１４は、図１に示すように折り目１ａよりも下方に位置するように構成されている。
【００３６】
下方部材２０は、図１，図２，図４〜図６に示すように、折り畳み可能な断面矩形の概ね箱形状の部材であり、厚紙で構成されている。下方部材２０は、下側の表示板１Ｂにほぼ中央部に固定（例えば貼着）される固定面２１と、固定面２１から交差方向（例えば直交方向）に立ち上がる両側面２２，２２、上面２３、及び底面２４と、固定板２１と対向する背面２５とを備えている。上面２３と底面２４とは、背面２５を上下方向に延長した部分で構成されている。
【００３７】
固定面２１と両側面２２，２２とは、組立状態における底面２４からさらに下方に突き出し、表示板１Ｂの底辺まで延長されている。両側面２２，２２の前記延長された部分により、本第１実施形態にかかる折り畳み式ディスプレイスタンドの載置面に載置され表示板１を起立させる脚部２６，２６が構成されている。脚部２６は、表示板１が後方に倒れるのをより確実に防ぐことができるように、側面２２を構成する厚紙を折り曲げて２枚を重ねた構造とされると共に、背面２５よりも下側の表示板２Ｂの表面から離れる方向に突出するように構成されている。脚部２６の折り曲げた側の厚紙には、組立時に固定面２１に設けられたスリット２１ａに差し込み可能な突出爪２６ａが設けられている。
【００３８】
固定面２１と両側面２２，２２と背面２５とは、互いに分離しないように継ぎ目を予め強固に固定されるか、或いは継ぎ目がないように構成されている。両側面２２，２２には、下側の表示板１Ａの表面に沿うような方向にそれぞれ折り目２２ａ，２２ａが設けられている。当該折り目２２ａ，２２ａで折り曲げる（谷折りする）ことにより、図２に示すように、固定面２１と背面２５とが近づく（接触する）ように折り畳むことができる。
【００３９】
なお、脚部２６の厚紙を２枚重ねにした部分は、折り目２２ａよりも下側の表示板１Ｂから離れる側のみ接着されている。したがって、脚部２６を折り目２２ａに沿って折り曲げたとき、脚部２６の折り曲げた側の厚紙の非接着部分（突出爪２６ａが設けられた部分）は、図２に示すように折り目２２ａよりも内側に位置する。これにより、脚部２６が下側の表示板１Ｂからはみ出ないようにしている。このため、折り畳み式ディスプレイスタンドの載置面に載置される脚部２６の部分の幅を大きく（図２では下側の表示板１Ｂの幅の１／２の幅で示している）して、より安定して表示板１を支持することができる。
【００４０】
また、下方部材２０の上面２３は、図５及び図６に示すように、背面２５との境界と対向する辺部分を折り目２３ａに沿って折り曲げた状態で、固定面２１に向けて折り曲げられることで組み立てられる。当該組立後、上面２３は、図１に示すように折り目１ａよりも下方に位置し、上方部材１０の底面を支持する支持面として作用する。
【００４１】
下方部材２０の底面２４には、背面２５との境界と対向する辺部分に突出爪２４ａが設けられている。底面２４は、図５に示すように固定面２１に向けて折り曲げられ、突出爪２４ａを固定面２１に設けられたスリット２１ｂに差し込まれることで組み立てられる。突出爪２４ａには指入れ用切欠き２４ｂが設けられている。当該指入れ用切欠き２４ｂに指を差し込んで底面２４を背面１５側に引き下げることにより、スリット２１ｂと突出爪２４ａとの係合を外すことができる。
【００４２】
固定部材３は、上方部材１０に設けられている挿入片３１と、下方部材２０に設けられ挿入片３１を挿入可能なスリット３２とにより構成されている。挿入片３１は、上方部材１０の底面１４の一部に切り込みを入れて独立して折り曲げ可能となるようにした部分により構成されている。スリット３２は、下方部材２０の背面２５の上部に設けられている。固定部材３は、表示板１の展開時に上方部材１０の底面１４が下方部材２０の上面２３に支持された状態で挿入片３１をスリット３２に挿入することで、上方部材１０と下方部材２０とを固定する。
【００４３】
また、スリット３２には、指入れ用穴３２ａが設けられている。当該指入れ用穴３２ａに指を差し込んで挿入片３１を表示板１から離れる側に引くことにより、上方部材１０と下方部材２０との固定を外すことができる。
なお、本第１実施形態においては、上方部材１０と下方部材２０とを起立状態でより強固に固定するため、図３，図５，及び図６に示すように、上方部材１０の固定面１１の下端部（折り目１ａよりも下方に位置する部分）に両面テープ３３を設けている。
【００４４】
次に、本発明の第１実施形態にかかる折り畳み式ディスプレイスタンドＡ１において、図２及び図３に示す折り畳み状態から図１に示す組立完了状態までの組立手順の一例について説明する。
【００４５】
まず、図４及び図５に示すように、下方部材２０の脚部２６，２６を固定面２１に対して垂直になるようにそれぞれ立ち上げ、脚部２６，２６の突出爪２６ａ，２６ａを固定面２１のスリット２１ｂに差し込む。これにより、折り目２２ａ，２２ａで折り畳まれていた両側面２２，２２が展開される。
【００４６】
次いで、固定面２１に向けて下方部材２０の底面２４を折り曲げ、底面２４の突出爪２４ａを固定面２１のスリット２１ｂに差し込む。
次いで、図５及び図６に示すように、背面２５よりも上方に突出する両側面２２，２２の上端部２２ｂ，２２ｂを内側（互いに近付く側）に折り曲げる。
次いで、上面２３の背面２５との境界と対向する片部分を折り目２３ａに沿って折り曲げたのち、上面２３を固定面２１に向けて折り曲げる。これにより、下方部材２０の組立が完了する。
【００４７】
次いで、図７に示すように、折り目１２ａ，１２ａで折り畳まれた上方部材１０の両側面１２，１２を展開したのち、固定板１１に向けて上面１３を折り曲げ、上面１３の突出爪１３ａを固定面１１のスリット１１ａに差し込む。
次いで、図７及び図８に示すように、背面１５よりも下方（図７及び図８では上方）に突出する両側面１２，１２の下端部１２ｂ，１２ｂを内側（互いに近付く側）に折り曲げる。
次いで、底面１４の背面１５との境界と対向する辺部分を折り目１４ａに沿って折り曲げたのち、底面１４を固定面１１に向けて折り曲げる。これにより、上方部材１０の組立が完了する。
【００４８】
次いで、図９に示すように、上方部材１０の挿入片３１を底面１４に対して立ち上げるとともに、両面テープ３３の基材層を剥離する。
次いで、図１０に示すように、上側の表示板１Ａを持ち上げて表示板１を展開する。このとき、両面テープ３３の粘着層が下側の表示板１Ｂに接触することにより、上方部材１０と下方部材２０とが起立状態でより強固にされる。
次いで、図１に示すように挿入片３１の先端部を下方部材２０のスリット３２に差し込む。これにより、上方部材１０と下方部材２０とが固定される。
【００４９】
なお、本発明の第１実施形態にかかる折り畳み式ディスプレイスタンドＡ１の組立は、上記組立手順に限定されるものではなく、種々の手順で行うことができる。例えば、上記では、下方部材２０を組み立てたのち上方部材１０を組み立てたが、上方部材１０を組み立てたのち下方部材２０を組み立ててもよい。
【００５０】
次に、本発明の第１実施形態にかかる折り畳み式ディスプレイスタンドＡ１において、図１に示す組立完了状態から図２及び図３に示す折り畳み状態までの折り畳み手順の一例について説明する。
【００５１】
まず、下方部材２０の背面２５の指入れ用穴３２ａに指を差し込んで挿入片３１を表示板１から離れる側に引き、挿入片３１をスリット３２から取り出す。
次いで、折り目１ａに沿って表示板１を折り畳む。
次いで、上方部材１０の底面１４に対して挿入片３１が立ち上がっていることにより形成される底面１４の穴に指を入れ、図８及び図９に示すように底面１４を背面１５側に引き上げる。この後、両側面１２，１２の下端部１２ｂ，１２ｂを引き上げる。
次いで、上面１３ａの指入れ用切欠き１３ｂに指を差し込んで上面１３を背面１５側に持ち上げ、スリット１１ａと突出爪１３ａとの係合を外す。
次いで、折り目１２ａ，１２ａに沿って両側面１２，１２を折り曲げる。これにより、上方部材１０が折り畳まれる。
【００５２】
次いで、下方部材２０の背面２５の指入れ用穴３２ａに指を差し込んで、図５及び図６に示すように下方部材２０の上面２３を押し上げる。この後、両側面２２，２２の上端部２２ｂ，２２ｂを引き上げる。
次いで、底面２４の指入れ用切欠き２４ｂに指を差し込んで底面２４を背面２５側に持ち上げ、スリット２１ｂと突出爪２４ａとの係合を外す。
次いで、脚部２６，２６を固定板２１から離れる方向に引っぱり、脚部２６，２６の突出爪２６ａ，２６ａと固定板２１のスリット２１ａ，２１ａとの係合を外す。
次いで、折り目２２ａ，２２ａに沿って両側面２２，２２を折り曲げる。これにより、下方部材２０が折り畳まれる。
【００５３】
なお、本発明の第１実施形態にかかる折り畳み式ディスプレイスタンドＡ１の折り畳みは、前記折り畳み手順に限定されるものではなく、種々の手順で行うことができる。例えば、前記では、上方部材１０を折り畳んだのち下方部材２０を折り畳んだが、下方部材２０を折り畳んだのち上方部材１０を折り畳んでもよい。
【００５４】
以上、本発明の第１実施形態にかかる折り畳み式ディスプレイスタンドＡ１によれば、表示板１を起立させる支持部材２を、表示板１の折り目１ａを挟んで上側の表示板１Ａに固定した上方部材１０と、下側の表示板１Ｂに固定した下方部材２０と、両者を固定する固定部材３とで構成している。これにより、従来例１，２の支持部材よりも、上方部材１０及び下方部材２０の長さが短くなり、前記モーメント力による折れ曲がりや撓みの可能性を低くすることができる。また、上方部材１０及び下方部材２０は箱形状であるので、従来例１，２の支持部材に比べてさらに頑丈である。したがって、従来例１，２よりも、表示板１の重みや風などの外力により生じるモーメント力による折れ曲がりや撓みの可能性を低くして、表示板１をしっかり固定することができる。
【００５５】
なお、表示板１をしっかりと固定できるので、図１１に示すように表示板１の表面にフック取付用穴１ｂを複数設け、当該それぞれのフック取付用穴１ｂにフック４０を取り付けることで、商品をつり下げられるようにすることができる。なお、フック４０は、フック取付用１ｂに挿入される側の上部の係止爪４１が長く且つ下部の係止爪４２が短く構成されることが好ましい。上部の係止爪４１が長いことにより、係止爪４１と表示板１との接触面積を大きくして、商品の荷重によりフック４０が外れることを防止することができる。また、下部の係止爪４２が短いことにより、フック４０の取り付けが容易となる。
【００５６】
また、本発明の第１実施形態にかかる折り畳み式ディスプレイスタンドＡ１によれば、上方部材１０及び下方部材２０は、それぞれ従来例１，２の支持部材よりもサイズを小さくすることができ、且つそれぞれ別々に折り畳み可能に構成されている。また、上方部材１０の固定面１１と両側面１２，１２と背面１５とは、互いに分離しないように継ぎ目を予め強固に固定されるか、或いは継ぎ目がないように構成され、両側面１２，１２を表示板１の表面に沿うような方向に折り曲げることにより折り畳み可能に構成されている。したがって、展開した状態では一枚の平面状の厚紙である従来例１，２の支持部材と比べて、非使用時にはコンパクトに折り畳むことができる。また、折り畳み回数が少なく、折り畳みが容易である。
【００５７】
また、本発明の第１実施形態にかかる折り畳み式ディスプレイスタンドＡ１によれば、下方部材２０の上面２３が表示板１の折り目１ａよりも下方に位置しているので、下方部材２０の上下方向の長さが従来例１，２の支持部材に比べて短く、且つ上方部材１０の下端部が下側の表示板１Ｂと接触可能である。これにより、表示板１を展開したときに上方部材１０が回転することにより生じるモーメント力などにより、表示板１が脆弱部分である折り目１ａで切断されるような不具合を防ぐことができる。
【００５８】
《第２実施形態》
図１３及び図１４を用いて、本発明の第２実施形態にかかる折り畳み式ディスプレイスタンドの構成について説明する。本第２実施形態の折り畳み式ディスプレイスタンドは、前記第１実施形態の折り畳み式ディスプレイスタンドＡ１を２つ組み合わせて１つの折り畳み式ディスプレイスタンドＢ１を構成したものである。図１３は、本発明の第２実施形態にかかる折り畳み式ディスプレイスタンドの組み合わせ前の状態を示す斜視図であり、図１４は、当該組み合わせた状態を示す斜視図である。
【００５９】
図１３において、折り畳み式ディスプレイスタンドＡ１の上方部材１０の背面１５及び下方部材２０の背面２５は、当該折り畳み式ディスプレイスタンド１Ａの載置面に対して鉛直方向に延びるように構成されている。これにより、図１４に示すように、２つの折り畳み式ディスプレイスタンドＡ１，Ａ１が互いに背中合わせてぴったりと密着するようになっている。
【００６０】
また、一方の折り畳み式ディスプレイスタンドＡ１の上方部材１０の背面１５には雄側連結部材５１が設けられ、他方の折り畳み式ディスプレイスタンドＡ１の上方部材１０の背面１５には雌側連結部材５２が設けられている。連結部材５１，５２は、例えばマジックテープ（登録商標）である。雄側連結部材５１と雌側連結部材５２とが接着することにより、２つの折り畳み式ディスプレイスタンドＡ１，Ａ１は、互いにしっかりと組み合わされて固定される。このとき、互いの脚部２６，２６が両側面２２，２２を延長した板状の部材であると共に表示板１に対して垂直方向に立ち上がっているので、図１４に示すように、互いの脚部２６，２６の背面２５よりも表示板１Ｂの表面から離れる方向に突出する部分同士は接触せず、交互に位置するようになる。したがって、脚部２６，２６は、２つの折り畳み式ディスプレイスタンドＡ１，Ａ１の前記密着を妨げない。
【００６１】
本発明の第２実施形態にかかる折り畳み式ディスプレイスタンドＢ１によれば、２つの折り畳み式ディスプレイスタンドＡ１を互いに背中合わせに配置して組み合わせているので、外観を向上させることができると共に、前後方向に風などの外力が加わっても互いに支持し合い、転倒の恐れをさらに軽減することができる。また、２つの折り畳み式ディスプレイスタンドＡ１が互いに背中合わせでぴったりと密着するので、設置スペースを大幅に小さくすることができる。
【００６２】
《第３実施形態》
図１５及び図１６を用いて、本発明の第３実施形態にかかる折り畳み式ディスプレイスタンドの構成について説明する。本第３実施形態の折り畳み式ディスプレイスタンドＢ２は、折り畳み式ディスプレイスタンドＡ２の下方部材２０Ａが脚部２６を有さない箱形状である点で、前記第２実施形態の折り畳み式ディスプレイスタンドＢ１と異なる。図１５は、本発明の第３実施形態にかかる折り畳み式ディスプレイスタンドの組み合わせ前の状態を示す斜視図であり、図１６は、当該組み合わせた状態を示す斜視図である。
【００６３】
本発明の第３実施形態にかかる折り畳み式ディスプレイスタンドＢ２によれば、前記第２実施形態にかかる折り畳み式ディスプレイスタンドＢ１と同様に、２つの折り畳み式ディスプレイスタンドＡ２を互いに背中合わせに配置して組み合わせることができるので、外観を向上させることができると共に、前後方向に風などの外力が加わっても互いに支持し合い、転倒の恐れをさらに軽減することができる。また、２つの折り畳み式ディスプレイスタンドＡ２が互いに背中合わせでぴったりと密着するので、設置スペースを大幅に小さくすることができる。
【００６４】
なお、本発明は上記実施形態に限定されるものではなく、その他種々の態様で実施可能である。例えば、上記では、上方部材１０及び下方部材２０を断面矩形の箱形状としたが、本発明はこれに限定されない。例えば、上方部材１０及び下方部材２０は、それぞれ断面台形状であっても、断面半円筒形状であってもよい。また、上方部材１０及び下方部材２０は、それぞれ上面及び底面を有しない筒形状であってもよい。好ましくは、表示板１の重み等によるモーメント力に対する強度の確保のため、上方部材１０又は下方部材２０のいずれか一方を箱形状とする。なお、「箱形状」とは、上面及び底面の両方を備えているものに限定されるものではなく、少なくとも一方を含むものを意味する。
【００６５】
また、上記では、脚部２２ｂ，２２ｂは、下方部材２０の両側面２２，２２を延長することにより構成したが、別部材で構成されてもよい。
また、上記では表示板１を折り目１ａより上下２つに折り曲げ可能としたが、本発明はこれに限定されない。従来例１，２のように、表示板１を３つに折り曲げ可能に構成しても良いし、それ以上に折り曲げ可能に構成してもよい。
【００６６】
また、上記では、上方部材１０に設けた挿入片３１と下方部材２０に設けたスリット３２とにより固定部材３を構成したが、本発明はこれに限定されない。例えば、上方部材１０及び下方部材２０の両者にスリット３２を設け、当該それぞれのスリット３２，３２に別途挿入片３１を挿入するように固定部材３を構成してもよい。
また、上記では、２つの折り畳み式ディスプレイスタンドＡ１のそれぞれの背面１５に連結部材５１又は５２を設けたが、いずれか一方に設けられればよい。
【００６７】
なお、上記様々な実施形態のうちの任意の実施形態を適宜組み合わせることにより、それぞれの有する効果を奏するようにすることができる。
【産業上の利用可能性】
【００６８】
本発明にかかる折り畳み式ディスプレイスタンドは、非使用時にはコンパクトに折り畳むことができると共に、使用時には表示板をよりしっかりと固定することができるので、特に、キャンペーン用商品の宣伝広告用として屋外に短期的に置かれる折り畳み式ディスプレイスタンドに有用である。
【図面の簡単な説明】
【００６９】
【図１】本発明の第１実施形態にかかる折り畳み式ディスプレイスタンドを斜め前方から見た斜視図である。
【図２】本発明の第１実施形態にかかる折り畳み式ディスプレイスタンドが折り畳まれた状態を後方から見た平面図である。
【図３】本発明の第１実施形態にかかる折り畳み式ディスプレイスタンドが折り畳まれた状態を前方から見た平面図である。
【図４】本発明の第１実施形態にかかる折り畳み式ディスプレイスタンドが折り畳まれた状態を斜め後方から見た斜視図である。
【図５】本発明の第１実施形態にかかる折り畳み式ディスプレイスタンドにおいて、下方部材を組み立てる様子を示す斜視図である。
【図６】本発明の第１実施形態にかかる折り畳み式ディスプレイスタンドにおいて、下方部材を組み立てる様子を示す部分拡大斜視図である。
【図７】本発明の第１実施形態にかかる折り畳み式ディスプレイスタンドにおいて、下方部材を組み立てる様子を示す斜視図である。
【図８】本発明の第１実施形態にかかる折り畳み式ディスプレイスタンドにおいて、下方部材を組み立てる様子を示す部分拡大斜視図である。
【図９】本発明の第１実施形態にかかる折り畳み式ディスプレイスタンドにおいて、上方部材と下方部材とを固定する前の状態を示す部分拡大斜視図である。
【図１０】本発明の第１実施形態にかかる折り畳み式ディスプレイスタンドにおいて、上方部材と下方部材とを固定する様子を示す斜視図である。
【図１１】本発明の第１実施形態にかかる折り畳み式ディスプレイスタンドの表示板にフック部材を取り付ける様子を示す説明図である。
【図１２】図１１のフック部材が表示板に取り付けられた状態を示す側面図である。
【図１３】図１に示す折り畳み式ディスプレイスタンドを、背面を対向させて２つ配置した状態を示す斜視図である。
【図１４】図１３に示す２つの折り畳み式ディスプレイスタンドのそれぞれの背面を接触させて組み合わせた状態を示す斜視図である。
【図１５】本発明の第２実施形態にかかる折り畳み式ディスプレイスタンドを、背面を対向させて２つ配置した状態を示す斜視図である。
【図１６】図１５に示す２つの折り畳み式ディスプレイスタンドのそれぞれの背面を接触させて組み合わせた状態を示す斜視図である。
【図１７】従来例１の折り畳み式ディスプレイスタンドを斜め前方から見た斜視図である。
【図１８】従来例１の折り畳み式ディスプレイスタンドにおける支持部材の展開図である。
【図１９】従来例１の折り畳み式ディスプレイスタンドにおける支持部材を表示板に取り付ける様子を示す斜視図である。
【図２０】従来例１の折り畳み式ディスプレイスタンドを箱体に梱包した状態を示す斜視図である。
【図２１】従来例２の折り畳み式ディスプレイスタンドを斜め前方から見た斜視図である。
【図２２】従来例２の折り畳み式ディスプレイスタンドを斜め後方から見た斜視図である。
【図２３】従来例２の折り畳み式ディスプレイスタンドにおける支持部材を表示板に取り付ける様子を示す斜視図である。
【符号の説明】
【００７０】
１    表示板
１ａ  折り目
１ｂ  フック挿入用穴
２    支持部材
３    固定部材
１０    上方部材
１１    固定面
１２    側面
１２ａ  折り目
１３    上面
１４    底面
１５    背面
２０    下方部材
２１    固定面
２２    側面
２２ａ  折り目
２３    上面
２４    底面
２５    背面
２６    脚部
３１    挿入片
３２    スリット
３３    両面テープ
【図１】
0004727643.tif 000002
【図２】
0004727643.tif 000003
【図３】
0004727643.tif 000004
【図４】
0004727643.tif 000005
【図５】
0004727643.tif 000006
【図６】
0004727643.tif 000007
【図７】
0004727643.tif 000008
【図８】
0004727643.tif 000009
【図９】
0004727643.tif 000010
【図１０】
0004727643.tif 000011
【図１１】
0004727643.tif 000012
【図１２】
0004727643.tif 000013
【図１３】
0004727643.tif 000014
【図１４】
0004727643.tif 000015
【図１５】
0004727643.tif 000016
【図１６】
0004727643.tif 000017
【図１７】
0004727643.tif 000018
【図１８】
0004727643.tif 000019
【図１９】
0004727643.tif 000020
【図２０】
0004727643.tif 000021
【図２１】
0004727643.tif 000022
【図２２】
0004727643.tif 000023
【図２３】
0004727643.tif 000024